(57)【要約】【課題】録画再生装置によって再生された録画番組をより確実に特定可能な番組再生ログデータ生成装置等を提供する。【解決手段】ＳＴＢ４は、放送信号に固有の付加情報が非圧縮状態のままで番組を録画可能なＢＤレコーダ３のＨＤＭＩ出力端子３５に接続され、制御部４４が、ＢＤレコーダ３によって録画番組を再生する際に出力されるデジタル信号を、第１のＨＤＭＩ接続部４５ａを介して入力すると、そのデジタル信号に含まれている付加情報を抽出し、その付加情報に基づいて、ＢＤレコーダ３によって再生された番組を特定するための番組再生ログデータを生成する。そして、無線通信部４２を介してインターネット網１０に接続された管理サーバ９にその番組再生ログデータを送信する。このため、管理サーバ９が備えるデータベースには、被験者の各家庭に設置されたＳＴＢ４から送信されてくる「録画番組と一対一に対応可能な番組再生ログデータ」が蓄積される。【選択図】図１
2014192596.tif 000002
【特許請求の範囲】
【請求項１】
放送局からトランスポートストリーム形式で送信される放送信号を受信し、該放送信号に固有の付加情報が非圧縮状態のままで録画可能な録画再生装置において、録画番組を再生する際にデジタル信号をテレビに出力するためのデジタル出力端子に接続され、
前記デジタル出力端子を介して前記録画再生装置から出力されるデジタル信号を入力する信号入力手段と、
インターネット網に接続するための通信手段と、
前記信号入力手段により入力されたデジタル信号に含まれている前記付加情報を抽出する情報抽出手段と、
前記情報抽出手段により前記付加情報を抽出した場合、該付加情報に基づいて、前記録画再生装置によって再生された録画番組を特定するための番組再生ログデータを生成するログデータ生成手段と、
前記ログデータ生成手段により生成した番組再生ログデータを、前記通信手段を介して前記インターネット網に接続されたデータベースに送信するログデータ送信手段と、
を備えることを特徴とする番組再生ログデータ生成装置。
【請求項２】
前記放送信号は、ＭＰＥＧ−２システムによって規定されるトランスポートパケット毎に、前記付加情報としてのサービスインフォメーションを識別するためのパケット識別子が含まれており、
前記録画再生装置は、前記サービスインフォメーションおよび前記パケット識別子が非圧縮状態のままで前記テレビ番組を録画可能であり、
前記情報抽出手段は、前記デジタル信号に含まれているパケット識別子に基づいて、前記サービスインフォメーションの中から、前記録画番組に関連する情報を含むイベントインフォメーションテーブルを抽出することを特徴とする請求項１に記載の番組再生ログデータ生成装置。
【請求項３】
前記放送信号は、ＭＰＥＧ−２システムによって規定されるトランスポートパケット毎に、前記付加情報としてのサービスインフォメーションを識別するためのパケット識別子が含まれており、
前記録画再生装置は、前記サービスインフォメーションおよび前記パケット識別子が非圧縮状態のままで前記テレビ番組を録画可能であり、
前記情報抽出手段は、前記デジタル信号に含まれているパケット識別子に基づいて、前記サービスインフォメーションの中から、前記録画番組の基となる放送信号が放送局から送信されたときの日付および時刻を含むタイムオフセットテーブルと、該放送局の放送チャンネルの名称を含むサービスディスクリプションテーブルとを抽出することを特徴とする請求項１または請求項２に記載の番組再生ログデータ生成装置。
【請求項４】
前記録画再生装置を遠隔操作するためのリモートコントローラから送信される指令コードを受信する指令コード受信手段を備え、
前記ログデータ生成手段は、前記指令コード受信手段により前記指令コードを受信した場合、該指令コードに基づいて前記録画再生装置の操作内容を含む指令操作ログデータを生成し、
前記ログデータ送信手段は、前記ログデータ生成手段により生成した指令操作ログデータを、前記通信手段を介して前記インターネット網に接続されたデータベースに送信することを特徴とする請求項１ないし請求項３のいずれか１項に記載の番組再生ログデータ生成装置。
【請求項５】
前記情報抽出手段は、前記デジタル信号に含まれているパケット識別子に基づいて、前記サービスインフォメーションの中から、前記録画番組の基となる放送信号が放送局から送信されたときの日付および時刻を含むタイムオフセットテーブルを抽出し、
前記ログデータ生成手段は、前記指令コード受信手段により前記指令コードを受信した前後いずれかに前記情報抽出手段によって抽出されたタイムオフセットテーブルを含む前記指令操作ログデータを生成することを特徴とする請求項４に記載の番組再生ログデータ生成装置。
【請求項６】
放送局からトランスポートストリーム形式で送信される放送信号を受信し、該放送信号に基づくテレビ番組を録画する際に該テレビ番組のＥＰＧ情報に対応づけて録画可能な録画再生装置において、録画番組を再生する際にデジタル信号をテレビに出力するためのデジタル出力端子に接続され、
前記デジタル出力端子を介して前記録画再生装置から出力されるデジタル信号を入力する信号入力手段と、
インターネット網に接続するための通信手段と、
前記信号入力手段により入力されたデジタル信号に含まれている前記ＥＰＧ情報を抽出する情報抽出手段と、
前記情報抽出手段により前記ＥＰＧ情報を抽出した場合、該ＥＰＧ情報に基づいて、前記録画再生装置によって再生された録画番組を特定するための番組再生ログデータを生成するログデータ生成手段と、
前記ログデータ生成手段により生成した番組再生ログデータを、前記通信手段を介して前記インターネット網に接続されたデータベースに送信するログデータ送信手段と、
を備えることを特徴とする番組再生ログデータ生成装置。
【請求項７】
放送局からトランスポートストリーム形式で送信される放送信号を受信し、該放送信号に固有の付加情報が非圧縮状態のままで録画可能な録画再生装置において、録画番組を再生する際にデジタル信号をテレビに出力するためのデジタル出力端子に接続され、前記デジタル出力端子を介して前記録画再生装置から出力されるデジタル信号を入力する信号入力手段と、インターネット網に接続するための通信手段とを備えるコンピュータに、
前記信号入力手段により入力されたデジタル信号に含まれている前記付加情報を抽出する情報抽出工程と、
前記情報抽出工程により前記付加情報を抽出した場合、該付加情報に基づいて、前記録画再生装置によって再生された録画番組を特定するための番組再生ログデータを生成するログデータ生成工程と、
前記ログデータ生成工程により生成した番組再生ログデータを、前記通信手段を介して前記インターネット網に接続されたデータベースに送信するログデータ送信工程と、
を実行させるプログラム。
【請求項８】
放送局からトランスポートストリーム形式で送信される放送信号を受信し、該放送信号に基づくテレビ番組を録画する際に該テレビ番組のＥＰＧ情報に対応づけて録画可能な録画再生装置において、録画番組を再生する際にデジタル信号をテレビに出力するためのデジタル出力端子に接続され、前記デジタル出力端子を介して前記録画再生装置から出力されるデジタル信号を入力する信号入力手段と、インターネット網に接続するための通信手段とを備えるコンピュータに、
前記信号入力手段により入力されたデジタル信号に含まれている前記ＥＰＧ情報を抽出する情報抽出工程と、
前記情報抽出工程により前記ＥＰＧ情報を抽出した場合、該ＥＰＧ情報に基づいて、前記録画再生装置によって再生された録画番組を特定するための番組再生ログデータを生成するログデータ生成工程と、
前記ログデータ生成工程により生成した番組再生ログデータを、前記通信手段を介して前記インターネット網に接続されたデータベースに送信するログデータ送信工程と、
を実行させるプログラム。
【発明の詳細な説明】
【技術分野】
【０００１】
本発明は、録画再生装置によって再生された録画番組を特定するための番組再生ログデータを生成する番組再生ログデータ生成装置およびプログラムに関する。
【背景技術】
【０００２】
従来、例えばテレビ番組の視聴率を調査するために、テレビの音声出力端子に専用の視聴率測定端末（以下「端末」という）を接続し、端末が、テレビから出力された音声の特徴量符合化データ（以下「音声データ」ともいう）および時刻データをインターネット網に接続された管理サーバに送信する視聴率調査システムが知られている（例えば、特許文献１参照）。
【０００３】
なお、この視聴率調査システムでは、放送局毎の全放送の音声データを現在から過去に遡ってデータベースに蓄積しており、管理サーバが、端末から送信されてくる視聴時刻の音声データを、音声データベース内の同時刻における全局の放送音声データと照合する音声マッチング処理を行うことにより、テレビの視聴時刻と視聴チャンネルを特定している。
【０００４】
また、この種の視聴率調査システムでは、録画再生装置によって録画番組が再生される時にもテレビから音声が出力されることに着目し、放送局毎の全放送の音声データを過去１週間程度までカバーするようにデータベースを増強することにより、番組放送中のリアルタイム視聴率調査と同様の音声マッチングの手法を用い、録画番組の再生視聴率を調査することも提案されている。
【先行技術文献】
【特許文献】
【０００５】
【特許文献１】特開２０１０−２３９３４５号公報
【発明の概要】
【発明が解決しようとする課題】
【０００６】
しかし、従来の視聴率調査システムでは、端末から送信されてくる音声データだけに頼って録画番組の再生視聴率を調査しようとすると、地上波放送とＢＳ／ＣＳ放送やＣＡＴＶなどの多チャンネルの放送音声データベースを蓄積し、多数の調査世帯の端末から送信されてくる視聴音声データを全局の過去の膨大な放送音声データと音声マッチング処理して視聴された番組やＣＭを特定するために、高いサーバ能力とコストを要する。
【０００７】
また、１倍速で再生された音声データしか放送音声データとは音声マッチングできず、音声付早見再生（機種によって１．２〜１．５倍速など差がある）された部分はどの番組やＣＭなのかを特定できない。
【０００８】
また、録画番組は飛ばし見やスキップ再生されるため、部分的に視聴された場面やＣＭを特定することが難しい。特に、ＣＭは複数のテレビ局の番組内で繰り返し放送されるが、端末から送信されてくる音声データ中のＣＭ音声データは、音声データベースの多数の番組内に存在するため、どの局の番組中に放送されたＣＭが再生視聴されたのかを特定することが難しいという問題があった。
【０００９】
本発明は、上記問題に鑑みてなされたものであり、録画再生装置によって再生された録画番組をより確実に特定可能な番組再生ログデータ生成装置およびプログラムの提供を目的とする。
【課題を解決するための手段】
【００１０】
上記目的を達成するためになされた本発明は、放送局からトランスポートストリーム形式で送信される放送信号を受信し、その放送信号に固有の付加情報が非圧縮状態のままで番組を録画可能な録画再生装置において、録画された録画番組を再生する際にデジタル信号をテレビに出力するデジタル出力端子に接続される番組再生ログデータ生成装置である。
【００１１】
そして、本発明の番組再生ログデータ生成装置は、録画再生装置から出力されるデジタル信号を入力する信号入力手段と、インターネット網に接続するための通信手段とを備える。
【００１２】
ここで、本発明では、情報抽出手段が、信号入力手段により入力されたデジタル信号に含まれている付加情報を抽出すると、ログデータ生成手段が、その付加情報に基づいて録画番組を特定するための番組再生ログデータを生成する。そして、ログデータ送信手段が、その番組再生ログデータを、通信手段を介してインターネット網に接続されたデータベースに送信するように構成した。
【００１３】
このような構成では、録画再生装置によって録画番組が再生されると、その録画番組の基となる放送信号に固有の付加情報に基づく番組再生ログデータがデータベースに送信されることになる。
【００１４】
このため、データベースには、放送局毎に各時刻の音声データを予め用意して記憶させておく必要がなくなり、各家庭に設置された番組再生ログデータ生成装置から送信されてくる「録画番組と一対一に対応可能なデータ」（番組再生ログデータ）が蓄積され得ることになる。
【００１５】
したがって、本発明によれば、管理サーバがデータベースに蓄積された番組再生ログデータを基に、各家庭で録画再生装置によって再生された録画番組をより確実に特定することができる。
【００１６】
なお、トランスポートストリーム（以下「ＴＳ」という）形式とは、日本の地上／ＢＳ／ＣＳデジタル放送をはじめとして、世界各国のデジタル放送規格の多くで採用されている形式であり、トランスポートパケット（以下「ＴＳパケット」という）と呼ばれる１８８バイト固定長のパケットの連続が、ＴＳ形式によって送信される放送信号となる。
【００１７】
また、付加情報は、所定の目的に沿って放送局にてＴＳパケット毎に挿入される固有の情報であればよく、例えばコピーガードや視聴制限などに用いられ、放送局にてＴＳパケット毎にランダムに決められた暗号コードであってもよい。この場合、例えば、放送局毎の全放送をカバーした暗号コードをデータベースに蓄積しておき、管理サーバが、番組再生ログデータ生成装置にて抽出された暗号コードを、データベース内の暗号コードと照合することにより、視聴された録画番組をより確実に特定することができる。
【００１８】
但し、このような構成では、録画番組毎に各ＴＳパケットの暗号コードを予め用意してデータベースに記憶しておき、管理サーバが、番組再生ログデータ生成装置から送信されてくる番組再生ログデータに含まれている暗号コードを、データベース内の暗号コードと照合するコードマッチングを行う必要がある。
【００１９】
このため、付加情報として、ＭＰＥＧ−２システムにおけるサービスインフォメーション（以下「ＳＩ」という）のうち、テレビ番組の名称や放送日時、放送内容などテレビ番組に関連する情報を含むイベントインフォメーションテーブル（以下「ＥＩＴ」という）や、放送局の放送チャンネルの名称を含むサービスディスクリプションテーブル（以下「ＳＤＴ」という）を利用することが好ましい。
【００２０】
具体的には、放送信号は、ＭＰＥＧ−２システムによって規定されるＴＳパケット毎に、付加情報としてのＳＩを識別するためのパケット識別子（以下「ＰＩＤ」という）が含まれており、録画再生装置は、ＳＩおよびＰＩＤが非圧縮状態のままでテレビ番組を録画可能に構成されている。
【００２１】
このような構成を利用し、本発明では、情報抽出手段が、デジタル信号に含まれているＰＩＤに基づいて、ＳＩの中から録画番組に関連する情報を含むＥＩＴを抽出してもよいし、ＳＩの中から、録画番組の基となる放送信号が放送局から送信されたときの日付および時刻を含むタイムオフセットテーブル（以下「ＴＯＴ」という）と、その放送局の放送チャンネルの名称を含むＳＤＴとを抽出してもよい。
【００２２】
これらの構成によれば、データベースには、録画番組毎に各ＴＳパケットの暗号コードを予め用意して記憶させておく必要がなくなり、各家庭に設置された番組再生ログデータ生成装置から送信されてくる「直接的に録画番組を特定可能なデータ」（番組再生ログデータ）が蓄積されることになる。
【００２３】
したがって、本発明によれば、管理サーバがデータベースに蓄積された番組再生ログデータを基に、各家庭で録画再生装置が再生した録画番組を直接的に特定することが可能となるため、音声マッチングやコードマッチングのような複雑な処理を行う必要がなくなり、ひいてはサーバ負荷を抑制でき、且つ、録画番組の視聴率調査に供する信頼性の高いデータを生成することができる。
【００２４】
ところで、本発明では、さらに、録画再生装置を遠隔操作するためのリモートコントローラから送信される指令コードを受信する指令コード受信手段を備え、ログデータ生成手段が、指令コード受信手段により指令コードを受信した場合、その指令コードに基づいて録画再生装置の操作内容を含む指令操作ログデータを生成し、ログデータ送信手段が、ログデータ生成手段により生成した指令操作ログデータを、通信手段を介してインターネット網に接続されたデータベースに送信してもよい。
【００２５】
このような構成によれば、管理サーバがデータベースに蓄積された指令操作ログデータを基に、各家庭で録画再生装置による録画番組の再生中に、視聴者によってどのような視聴操作がなされたかを管理することが可能となるため、各録画番組における視聴行動を調査することができる。
【００２６】
さらに、本発明では、情報抽出手段がＴＯＴを抽出する構成のもと、ログデータ生成手段が、指令コード受信手段により指令コードを受信した前後いずれかに情報抽出手段によって抽出されたＴＯＴを含む指令操作ログデータを生成することが好ましい。
【００２７】
このような構成によれば、番組再生ログデータ生成装置が、視聴操作の直前や直後に抽出したＴＯＴを含む指令操作ログデータをデータベースに送信することで、管理サーバが、録画番組におけるどの部分で視聴操作がなされたかを管理することが可能となるため、例えば録画番組のうち視聴された部分とそうでない部分とを調査できる等、各録画番組におけるより詳細な視聴行動を調査することができる。
【００２８】
また、本発明では、録画再生装置が、テレビ番組を録画する際にそのテレビ番組のＥＰＧ情報に対応づけて録画可能である構成のもと、情報抽出手段が、デジタル信号に含まれているＥＰＧ情報を抽出し、ログデータ生成手段が、情報抽出手段によりＥＰＧ情報を抽出した場合、そのＥＰＧ情報に基づいて番組再生ログデータを生成してもよい。
【００２９】
この構成においても、データベースには、放送局毎に各時刻の音声データを予め用意して記憶させておく必要や、録画番組毎に各ＴＳパケットの暗号コードを予め用意して記憶させておく必要がなくなり、各家庭に設置された番組再生ログデータ生成装置から送信されてくる「直接的に録画番組を特定可能なデータ」（番組再生ログデータ）が蓄積されることになる。
【００３０】
したがって、本発明によれば、管理サーバがデータベースに蓄積された番組再生ログデータを基に、各家庭で録画再生装置が再生した録画番組を直接的に特定することが可能となるため、音声マッチングやコードマッチングのような複雑な処理を行う必要がなくなり、ひいてはサーバ負荷を抑制でき、且つ、録画番組の視聴率調査に供する信頼性の高いデータを生成することができる。
【００３１】
なお、本発明は、プログラムとして市場に流通させることができる。具体的には、本発明のプログラムは、放送局からトランスポートストリーム形式で送信される放送信号を受信し、その放送信号に固有の付加情報が非圧縮状態のままで録画可能な録画再生装置において、録画番組を再生する際にデジタル信号を出力するデジタル出力端子に接続され、信号入力手段および通信手段を備えるコンピュータに、情報抽出工程と、ログデータ生成工程と、ログデータ送信工程とを実行させるためのものである。
【００３２】
また、本発明のプログラムは、放送局からトランスポートストリーム形式で送信される放送信号を受信し、その放送信号に基づくテレビ番組を録画する際にそのテレビ番組のＥＰＧ情報に対応づけて録画可能な録画再生装置において、録画番組を再生する際にデジタル信号を出力するデジタル出力端子に接続され、信号入力手段および通信手段を備えるコンピュータに、情報抽出工程と、ログデータ生成工程と、ログデータ送信工程を実行させるためのものでもよい。
【００３３】
これらのプログラムは、上記コンピュータに組み込まれることにより、本発明の番組再生ログデータ生成装置によって奏する効果と同等の効果を得ることができる。なお、プログラムは、コンピュータに組み込まれるＲＯＭやフラッシュメモリ等に記憶され、これらＲＯＭやフラッシュメモリ等からコンピュータにロードされて用いられてもよいし、ネットワークを介してコンピュータにロードされて用いられてもよい。
【００３４】
また、上述のプログラムは、コンピュータにて読み取り可能なあらゆる形態の記録媒体に記録されて用いられてもよい。記録媒体としては、例えば、持ち運び可能な半導体メモリ（例えばＵＳＢメモリ、メモリカード（登録商標）など）などが含まれる。
【図面の簡単な説明】
【００３５】
【図１】番組再生ログデータ生成装置および視聴率調査システムの構成を例示する全体図である。
【図２】テレビおよび録画再生装置の構成を例示するブロック図である。
【図３】データベースを有する管理サーバの構成を例示するブロック図、およびデータベースの内容を例示する説明図である。
【図４】番組再生ログデータ生成装置が行う制御処理の概要を例示する第１のフローチャートである。
【図５】番組再生ログデータ生成装置が行う制御処理の概要を例示する第２のフローチャートである。
【発明を実施するための形態】
【００３６】
以下に、本発明の実施形態としての番組再生ログデータ生成装置を備える視聴率調査システムを図面と共に説明する。
＜全体構成＞
図１に示すように、本実施形態の視聴率調査システム１は、テレビ（ＴＶ）２と、録画再生装置としてのブルーレイディスクレコーダ（以下「ＢＤレコーダ」という）３と、番組再生ログデータ生成装置としてのセットトップボックス（ＳＴＢ）４と、赤外線リモコン５と、無線リモコン６と、無線ルータ７と、タイムサーバ８と、管理サーバ９とによって構成される。
【００３７】
図２（ａ）に示すように、ＴＶ２は、ＴＶチューナ２１と、ディスプレイ２２と、スピーカ２３と、制御部２４と、ＨＤＭＩ入力端子２５と、赤外線受光部２６とを備えて構成される。
【００３８】
ＴＶチューナ２１は、放送局からトランスポートストリーム（ＴＳ）形式で送信される放送信号を受信する各種のアンテナからケーブル（非図示）を介して入力された各放送チャンネルのテレビ番組（ＴＶ番組）を選局する周知のものである。
【００３９】
なお、放送局では、周知のＭＰＥＧ−２システムによって規定されるトランスポートパケット（ＴＳパケット）を連続して送信することにより、ＴＶ番組を構成する映像や音声や各種のデータを示す放送信号が送信されることになる。具体的には、放送局は、ＴＶ番組を構成する映像や音声や各種のデータに符合化を施す際に、これらデータ（ワーク鍵を含む）を受信側がＢ−ＣＡＳカードで復号化できるようにマスタ鍵で暗号化し、放送局は、さらに受信側がマスタ鍵で取り出したワーク鍵で復号化できるようにワーク鍵で暗号化する。そして、放送局は、符合化および暗号化されたデータを多重化する際に、ＴＳパケット毎にサービスインフォメーション（ＳＩ）と呼ばれる、放送信号に固有の付加情報を挿入するようになっている。
【００４０】
ちなみに、ＴＳパケットには、このＳＩを識別可能なパケット識別子（ＰＩＤ）と呼ばれる１３ビットの情報が付与されており、例えばＰＩＤが０ｘ１２である場合、ＳＩはテレビ番組の名称や放送日時、放送内容などテレビ番組に関連する情報を含むイベントインフォメーションテーブル（ＥＩＴ）であることを示す。また例えばＰＩＤが０ｘ１１である場合、ＳＩは放送局の放送チャンネルの名称を含むサービスディスクリプションテーブル（ＳＤＴ）であることを示す。また例えばＰＩＤが０ｘ１４である場合、ＳＩは放送信号が放送局から送信されたときの日付および時刻を含むタイムオフセットテーブル（ＴＯＴ）であることを示す。このように、ＭＰＥＧ−２システムでは、ＳＩの種別毎に１つのＰＩＤが必ず決められている。
【００４１】
ＨＤＭＩ入力端子２５は、ＨＤＭＩ（登録商標）と呼ばれる通信インターフェースの標準規格に則って、デジタル形式の映像信号、音声信号、および制御信号を１本のケーブルで入力し、制御信号に関してはその出力も行うことが可能な周知のものである。本実施形態では、ＳＴＢ４における第２のＨＤＭＩ接続部４５ｂに接続されている。
【００４２】
なお、ＨＤＭＩ入力端子２５は、ＢＤレコーダ３からＳＴＢ４を介して送られてくる各種の映像信号、音声信号、データ信号、および制御信号を入力し、さらに、ＳＴＢ４から送られてくる制御信号や各種コンテンツを入力し、制御部２４が生成した制御信号をＳＴＢ４に出力するために用いられる。
【００４３】
赤外線受光部２６は、赤外線リモコン５から送信されてくる赤外線コードを受光し、その赤外線コードを制御部２４に出力するものである。なお、赤外線リモコン５は、ユーザによるＴＶ２の操作内容を示す情報を赤外線コードとして出力するものであればよく、ＴＶ２やＢＤレコーダ３に付属の専用リモコンであってもよいし、赤外線送信部を有し、この専用リモコンとしての機能を実現するためのプログラム（アプリケーション）が組み込まれたスマートフォンや携帯電話機であってもよい。
【００４４】
制御部２４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、各種の制御処理を実行するように構成されている。
【００４５】
具体的には、制御部２４は、例えば、赤外線受光部２６から入力した赤外線コードに基づいて、視聴操作に応じた放送チャンネルをＴＶチューナ２１に選局させることで、その放送チャンネルのＴＶ番組を、ディスプレイ２２にモニタ出力させつつ、スピーカ２３に音声出力させる操作選局制御を実行する。
【００４６】
なお、制御部２４は、操作選局制御において、ＴＶチューナ２１が選局した放送チャンネルの放送信号を入力し、この放送信号を構成するＴＳパケットを、予めＴＶ２の本体に挿入されているＢ−ＣＡＳカードに記録されたマスタ鍵で復号し、さらに、これにより取り出したワーク鍵で復号することにより、ＴＶ番組を構成する映像や音声や各種のデータを解読する。そして、このＴＳパケットに含まれているＰＩＤに基づいてＥＩＴを抽出し、このＥＩＴに基づいて電子番組情報（ＥＰＧ情報）を作成する。
【００４７】
ちなみに、ＥＩＴには、現在放送中のＴＶ番組に関する情報と次のＴＶ番組に関する情報とが必ず含まれており、放送局にとって自局の上記以外のＴＶ番組に関する情報や、他局のＴＶ番組に関する情報が任意に含まれている。
【００４８】
また、制御部２４は、ＨＤＭＩ入力端子２５を介してＢＤレコーダ３から送られてくる映像信号や音声信号や各種のデータ信号を入力すると、映像信号やデータ信号に基づく画像をディスプレイ２２にモニタ出力させたり、音声信号やデータ信号に基づく音声をスピーカ２３に出力させたりする。さらに、制御部２４は、ＨＤＭＩ入力端子２５を介してＳＴＢ４から送られてくる各種のコンテンツを入力すると、そのコンテンツに応じた画像をディスプレイ２２にモニタ出力させたり、そのコンテンツに応じた音声をスピーカ２３に出力させたりする。
【００４９】
次に、図２（ｂ）に示すように、ＢＤレコーダ３は、ＴＶチューナ３１と、ハードディスクドライブ（以下「ＨＤＤ」という）３２と、ブルーレイディスクドライブ（以下「ＢＤＤ」という）３３と、制御部３４と、ＨＤＭＩ出力端子３５と、赤外線受光部３６と、ＵＳＢ端子３７とを備えて構成される。
【００５０】
ＴＶチューナ３１は、ＴＶ２のＴＶチューナ２１と同様、各放送チャンネルのＴＶ番組を選局する周知のものである。
ＨＤＭＩ出力端子３５は、ＳＴＢ４における第１のＨＤＭＩ接続部４５ａに接続され、ＨＤＭＩ（登録商標）と呼ばれる通信インターフェースの標準規格に則って、デジタル形式の映像信号、音声信号、データ信号、および制御信号をＴＶ２に出力し、ＳＴＢ４から送られてくる制御信号を入力するために用いられる。
【００５１】
赤外線受光部３６は、ＴＶ２の赤外線受光部２６と同様、赤外線リモコン５から送信されてくる赤外線コードを受光し、その赤外線コードを制御部３４に出力するものである。なお、赤外線リモコン５は、ユーザによるＢＤレコーダ３の操作内容を示す情報を赤外線コードとして出力するものであればよく、ＢＤレコーダ３やＴＶ２に付属の専用リモコンであってもよいし、赤外線送信部を有し、この専用リモコンとしての機能を実現するためのプログラム（アプリケーション）が組み込まれたスマートフォンや携帯電話機であってもよい。
【００５２】
ＨＤＤ３２は、大容量記憶媒体であり、例えばＴＶチューナ３１を介して受信したＴＶ番組のうち、録画されたＴＶ番組（録画番組）を記憶したり、記憶されている録画番組を再生したりするために用いられる。
【００５３】
ＢＤＤ３３は、ブルーレイディスクやＤＶＤといったメディアに録画番組等を記録したり、これらのメディアに記憶されている録画番組や各種コンテンツを読み出したりするために用いられる。
【００５４】
ＵＳＢ端子３７は、ＵＳＢと呼ばれるシリアルバス規格に則って、周辺機器を接続するための周知のものであり、接続された周辺機器との間で各種データを送受信するインターフェースとして用いられるだけでなく、ホストバスアダプタ（非図示）からその電源（電力）を周辺機器に供給するバスパワーとしても用いられる。
【００５５】
制御部３４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、各種の制御処理を実行するように構成されている。
【００５６】
具体的には、制御部３４は、例えば、赤外線受光部３６から入力した赤外線コードに基づいて、視聴操作に応じた放送チャンネルをＴＶチューナ３１に選局させることで、その放送チャンネルのＴＶ番組を再生して、その再生信号（映像信号や音声信号、データ信号）を、ＨＤＭＩ出力端子３５およびＳＴＢ４を介してＴＶ２に出力する操作選局制御を実行する。
【００５７】
なお、制御部３４は、操作選局制御において、ＴＶチューナ３１が選局した放送チャンネルの放送信号を入力し、この放送信号を構成するＴＳパケットを、予めＢＤレコーダ３の本体に挿入されているＢ−ＣＡＳカードに記録されたマスタ鍵で復号し、さらに、これにより取り出したワーク鍵で復号することにより、ＴＶ番組を構成する映像や音声や各種のデータを解読する。そして、このＴＳパケットに含まれているＰＩＤに基づいてＥＩＴを抽出し、このＥＩＴに基づいて電子番組情報（ＥＰＧ情報）を作成する。
【００５８】
また、制御部３４は、例えば、赤外線受光部３６から入力した赤外線コードに基づいて、録画操作に応じたＴＶ番組（録画番組）をＨＤＤ３２や、ＢＤＤ３３に挿入されたメディアに記憶する番組録画制御を実行する。なお、制御部３４は、ユーザによる録画操作に応じて録画番組を記憶する際の圧縮率を設定し、ＥＰＧ情報を用いて録画番組が指定された場合、ＥＰＧ情報を非圧縮状態のままで録画番組に対応づけてＨＤＤ３２やメディアに記録するようになっている。そして、制御部３４によって設定された圧縮率がゼロまたは小さい場合、ＨＤＤ３２やメディアには、ＰＩＤやＳＩといった付加情報が非圧縮状態のままで録画番組が記録される。つまり、ＢＤレコーダ３は、放送信号に固有の付加情報や録画番組に関するＥＰＧ情報が非圧縮状態のままで録画番組を記憶することが可能に構成されている。
【００５９】
また、制御部３４は、例えば、赤外線受光部３６から入力した赤外線コードに基づいて、再生操作に応じた録画番組をＨＤＤ３２やＢＤＤ３３から読み出し、再生して、録画番組の映像や音声や付加情報とその録画番組に対応づけられたＥＰＧ情報をデジタル信号によって、ＨＤＭＩ出力端子３５を介してＴＶ２側に出力する録画再生制御を実行する。なお、録画再生制御では、再生操作以外にもユーザによる各種の操作に応じて、録画番組の早送りや巻き戻し、スキップ、Ｎ（Ｎ＞１）倍速再生（音声付き早見再生）、一時停止、停止などを行うようになっている。これらのユーザによる再生操作を含む各種の操作を、以下では録画再生操作と総称する。
【００６０】
次に、図３（ａ）に示すように、管理サーバ９は、インターネット網１０に接続されるネットワークインターフェース（以下「ネットワークＩＦ」という）９１と、視聴率を調査するために選ばれた被験者の家庭に設置されたＳＴＢ４から送られてくる番組再生ログデータおよび指令操作ログデータを記憶するデータベース９２（ハードディスク装置等）と、制御部９３とを備えて構成される。
【００６１】
図３（ｂ）に示すように、データベース９２には、ＳＴＢ４を識別するための識別情報毎に、ＳＴＢ４に接続されたＢＤレコーダ３によって再生された録画番組を特定するための番組再生ログデータと、ＢＤレコーダ３の操作内容を示す指令操作ログデータとが記憶されている。その他、データベース９２には、テレビ２の操作内容を示す視聴操作ログデータが記憶されてもよい。
【００６２】
番組再生ログデータは、送信日時９４と、付加情報またはＥＰＧ情報のいずれか一方を示す録画番組情報９５とが対応づけられてデータベース９２に記憶され、指令操作ログデータは、送信日時９４と、ＢＤレコーダ３やＴＶ２の操作内容を示す操作内容情報９６と、ＴＯＴに基づく操作開始タイミング情報９７とが対応づけられて記憶されている。例えば、指令操作ログデータでは、録画再生操作として、録画番組の早送りや巻き戻し、スキップ、Ｎ（Ｎ＞１）倍速再生（音声付き早見再生）、一時停止、停止などを個々に示す操作内容情報９６が、各録画再生操作の開始タイミングを示す操作開始タイミング情報９７と、タイムサーバ８が刻む時刻に同期された送信日時９４とに対応づけられている。なお、各録画再生操作の終了タイミングは、その直後の録画再生操作の開始タイミングによって特定することができる。また、視聴操作ログデータは、送信日時９４と、テレビ２の操作内容を示す視聴操作情報とが対応づけられて記憶され得る。
【００６３】
制御部９３は、ネットワークＩＦ９１を介して、識別情報を含む番組再生ログデータを受信すると、その識別情報に対応するテーブル９９に番組再生ログデータが示す送信日時９４と録画番組情報９５とを書き込む。
【００６４】
そして、制御部９３は、データベース９２に記憶されている複数のテーブル９９に基づいて、各録画番組に対する視聴率を、次式に従って算出する。
視聴率＝対象となる録画番組を特定できたテーブル数／標本数×１００（％）
但し、標本数は、データベース９２内のテーブル９９の数（即ち、被験者の数）に相当し、対象となる録画番組は、録画番組情報９５によって特定される。つまり、対象となる録画番組を特定できたテーブル数は、その録画番組を視聴した被験者の数に相当する。
【００６５】
また、制御部９３は、ネットワークＩＦ９１を介して、識別情報を含む指令操作ログデータを受信すると、その識別情報に対応するテーブル９９に、番組再生ログデータが示す送信日時９４および操作内容情報９６を書き込むとともに、番組再生ログデータが示すＴＯＴに基づいて、録画番組におけるどのタイミングで操作内容情報９６が示す操作がなされたかを示す操作開始タイミング情報９７を生成し、この操作開始タイミング情報９７を送信日時９４および操作内容情報９６に対応づけてテーブル９９に書き込む。
【００６６】
つまり、ＴＯＴは、放送信号が放送局から送信されたときの日付および時刻を含む情報であるため、ＳＴＢ４がユーザによる録画再生操作を入力したときに抽出したＴＯＴを含む番組再生ログデータを管理サーバ９に送信することで、操作内容情報９６が示す操作内容が行われた録画番組におけるタイミングを特定し、操作開始タイミング情報９７を生成することが可能となる。これにより、制御部９３は、例えば再生された録画番組のどの部分が早送りやスキップされたか、どの部分が早送りやスキップされずに再生されたか、どの部分がＮ（Ｎ＞１）倍速再生（音声付き早見再生）されたか等を特定することが可能となるため、録画番組における各時刻の詳細な視聴率を調査することができる。
【００６７】
なお、制御部９３は、ネットワークＩＦ９１を介して、識別情報を含む視聴操作ログデータを受信すると、その識別情報に対応するテーブル９９に視聴操作ログデータが示す送信日時９４と視聴操作情報とを書き込んでもよい。
【００６８】
つまり、視聴操作情報には、テレビ２の操作内容を示す情報として、視聴チャンネルを切り替える情報が含まれるため、制御部９３は、視聴操作ログデータに基づいて、送信日時９４が示す同時刻に各家庭で視聴されたテレビ番組を特定することができる。
【００６９】
そして、制御部９３は、データベース９２に記憶されている複数のテーブル９９に基づいて、各ＴＶ番組に対する時刻毎の視聴率を、次式に従って算出することができる。
視聴率＝リアルタイム視聴数／標本数×１００（％）
但し、リアルタイム視聴数は、対象となるＴＶ番組に対応する視聴操作情報９５が書き込まれており、且つ、対象となる時刻がその視聴操作情報９５に対応づけられた送信日時９４から視聴チャンネルが切り替えられるまでの間（以降の送信日時９４から特定可能）に存在しているテーブル９９の数（即ち、対象となる時刻に対象となるＴＶ番組を視聴している被験者の数）に相当する。
【００７０】
次に、図１に戻り、タイムサーバ８は、インターネット網１０に接続され、同じくインターネット網１０に接続されたコンピュータの時刻を標準時刻に合わせるための標準時刻情報を配信するサーバである。
【００７１】
無線ルータ７は、インターネット網１０に接続するとともに、被験者の家庭内を無線ローカルエリアネットワーク（無線ＬＡＮ）環境にするための周知のものである。
＜ＳＴＢの構成＞
ＳＴＢ４は、内部時計４１と、無線通信部４２と、２つの赤外線コード入力部４３と、制御部４４と、２つのＨＤＭＩ接続部４５と、２つの赤外線コード受信部４６と、ＵＳＢ端子４７と、給電部４８とを備えて構成される。そして、本実施形態のＳＴＢ４では、スティック状の筐体（非図示）に、内部時計４１、無線通信部４２、２つの赤外線コード入力部４３、および制御部４４が格納されている。
【００７２】
給電部４８は、ＢＤレコーダ３のＵＳＢ端子３７に接続され、ＵＳＢ端子３７を介してＢＤレコーダ３から電源の供給を受けて、各部４１〜４７にその電源を供給するように構成されている。
【００７３】
ＵＳＢ端子４７は、ＢＤレコーダ３のＵＳＢ端子３７と同様、ＵＳＢと呼ばれるシリアルバス規格に則って、周辺機器を接続するためのものであり、本実施形態では、周辺機器としてマウスやキーボード等を接続することができる。
【００７４】
赤外線コード受信部４６は、それぞれＴＶ２の赤外線受光部２６およびＢＤレコーダ３の赤外線受光部３６と同様、赤外線リモコン５から送信されてくる赤外線コードを受光し、その赤外線コードをそれぞれ対応する赤外線コード入力部４３に出力するものである。本実施形態では、２つの赤外線コード受信部４６のうち、第１の赤外線コード受信部４６ａは、ＴＶ２の赤外線受光部２６の隣接位置に設置され、第２の赤外線コード受信部４６ｂは、ＢＤレコーダ３の赤外線受光部３６の隣接位置に設置される。これにより、赤外線リモコン５から送信されてくる赤外線コードは、ＴＶ２の赤外線受光部２６およびＢＤレコーダ３の赤外線受光部３６で受光され、且つ、２つの赤外線コード受信部４６のいずれかを介して赤外線コード入力部４３に入力されることになる。
【００７５】
赤外線コード入力部４３は、赤外線コード受信部４６から出力された赤外線コードが示すユーザによる操作内容を制御部４４に入力するように構成されている。本実施形態では、２つの赤外線コード入力部４３のうち、第１の赤外線コード入力部４３ａは、第１の赤外線コード受信部４６ａに接続されており、ユーザによるＴＶ２に対する操作内容を制御部４４に入力し、第２の赤外線コード入力部４３ｂは、第２の赤外線コード受信部４６ｂに接続されており、ユーザによるＢＤレコーダ３に対する操作内容を制御部４４に入力する。
【００７６】
ＨＤＭＩ接続部４５は、ＢＤレコーダ３のＨＤＭＩ出力端子３５に接続される第１のＨＤＭＩ接続部４５ａと、ＴＶ２のＨＤＭＩ入力端子２５に接続される第２のＨＤＭＩ接続部４５ｂとによって構成される。第１のＨＤＭＩ接続部４５ａは、ＢＤレコーダ３からＨＤＭＩ出力端子３５を介して出力されたデジタル信号を入力するために用いられ、第２のＨＤＭＩ接続部４５ｂは、そのデジタル信号や各種のコンテンツをＴＶ２に出力するために用いられる。
【００７７】
無線通信部４２は、無線ＬＡＮやＢｌｕｅｔｏｏｔｈ（登録商標）といった所定の通信周波数帯の電波によって近距離無線通信を行うように構成されており、これらの近距離無線通信に対応した無線リモコン６から送信されてくる無線コードを受信し、その無線コードを制御部４４に出力するものである。なお、無線リモコン６は、ユーザによるＴＶ２やＢＤレコーダ３の操作内容を示す情報を無線コードとして出力するものであればよく、ＴＶ２やＢＤレコーダ３に付属の専用リモコンであってもよいし、この専用リモコンとしての機能を実現するためのプログラム（アプリケーション）が組み込まれたスマートフォンや携帯電話機であってもよい。なお、無線通信部４２は、無線ＬＡＮを利用して無線リモコン６から送信されてくる無線コードについては、無線ルータ７を経由して受信することになる。
【００７８】
また、無線通信部４２は、無線ルータ７を経由してインターネット網１０に接続されたサーバから各種のＷＥＢコンテンツを取得したり、制御部４４が生成したログデータを、無線ルータ７を経由してインターネット網１０に接続された管理サーバ９に送信したりするためにも用いられる。
【００７９】
内部時計４１は、制御部４４が番組再生ログデータまたは指令操作ログデータを生成する際に時刻を記録するために使用される時計であり、タイムサーバ８が刻む時刻に同期するようになっている。
【００８０】
制御部４４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、以下のＳＴＢ制御処理を実行するように構成されている。なお、プログラムは、ネットワークを介してマイクロコンピュータにロードされて用いられてもよい。また、プログラムは、ＣＰＵにて読み取り可能なあらゆる形態の記録媒体に記録されて用いられてもよい。記録媒体としては、例えば、持ち運び可能な半導体メモリ（例えばＵＳＢメモリ、メモリカード（登録商標）など）などが含まれる。
【００８１】
＜ＳＴＢ制御処理＞
次に、ＳＴＢ４の制御部４４（ＣＰＵ）が実行するＳＴＢ制御処理について、図４のフローチャートに沿って説明する。なお、本処理は、ＳＴＢ４の給電部４８がＢＤレコーダ３のＵＳＢ端子３７に接続されると開始され、ＵＳＢ端子３７を介してＢＤレコーダ３から給電されている間、繰り返し実行される。
【００８２】
まず、本処理が開始されると、Ｓ１１０では、制御部４４のＣＰＵは、予め設定された内部時計４１の調整タイミングであるか否かを判断し、ここで肯定判断すると、Ｓ１２０に移行し、否定判断すると、Ｓ１４０に移行する。
【００８３】
Ｓ１２０では、無線通信部４２を介してインターネット網１０に接続されたタイムサーバ８にアクセスし、タイムサーバ８から現在の標準時刻を示す標準時刻情報を取得する。その後、続くＳ１３０では、Ｓ１２０で取得した標準時刻情報に基づいて内部時計４１を調整し、内部時計４１の時刻をタイムサーバ８が刻む標準時刻に同期させて、Ｓ１４０に移行する。
【００８４】
Ｓ１４０では、ＵＳＢ端子４７を介してユーザによるマウスやキーボードを用いたブラウザ操作を入力したか否かを判断し、ここで肯定判断すると、Ｓ１５０に移行し、否定判断すると、Ｓ１６０に移行する。
【００８５】
Ｓ１５０では、Ｓ１４０で入力したブラウザ操作に基づいて、無線通信部４２を介してインターネット網１０に接続されたサーバ（非図示）にアクセスし、サーバから提供されるＷＥＢコンテンツを受信して、ＨＤＭＩ接続部４５を介してそのＷＥＢコンテンツをＴＶ２に出力させるＷＥＢ制御処理を実行し、Ｓ１６０に移行する。
【００８６】
Ｓ１６０では、赤外線コード入力部４３または無線通信部４２を介してユーザによる録画再生操作を入力したか否かを判断し、ここで肯定判断すると、Ｓ１７０に移行し、否定判断すると、Ｓ１８０に移行する。なお、ここでの録画再生操作は、録画番組をはじめに再生する操作（再生操作）であり、録画番組の早送りや巻き戻し、スキップ、Ｎ（Ｎ＞１）倍速再生、一時停止、停止などの他の各種操作ではないものとする。
【００８７】
Ｓ１７０では、Ｓ１６０で入力した録画再生操作に応じて番組再生ログデータおよび指令操作ログデータを生成して管理サーバ９に送信する録画ログ制御処理を作動させ、Ｓ１８０に移行する。
【００８８】
Ｓ１８０では、赤外線コード入力部４３または無線通信部４２を介してユーザによる番組視聴操作を入力したか否かを判断し、ここで肯定判断すると、Ｓ１９０に移行し、否定判断すると、Ｓ１１０に戻る。
【００８９】
Ｓ１９０では、Ｓ１８０で番組視聴操作を入力したタイミング（日時）を内部時計４１から読み出し、その読み出した日時を送信日時９４とし、Ｓ１８０で入力した番組視聴操作の内容を示す視聴操作情報と送信日時９４とを含む視聴操作ログデータを生成し、ＳＴＢ４の個体毎に予め決められた識別情報とともに、無線通信部４２を介してインターネット網１０に接続された管理サーバ９に送信する視聴ログ制御処理を行い、Ｓ１１０に戻る。
【００９０】
＜録画ログ制御処理＞
ここで、ＳＴＢ４の制御部４４（ＣＰＵ）が実行する録画ログ制御処理について、図５のフローチャートに沿って説明する。
【００９１】
まず、本処理が開始されると、Ｓ２１０では、第１のＨＤＭＩ接続部４５ａからの入力有無に基づいて、制御部４４のＣＰＵは、ＢＤレコーダ３のＨＤＭＩ出力端子３５から出力されたデジタル信号を検出したか否かを判断し、ここで肯定判断した場合にはＳ２２０に移行し、否定判断した場合には、デジタル信号を検出するまで待機する。
【００９２】
Ｓ２２０では、Ｓ２１０で第１のＨＤＭＩ接続部４５ａを介して入力したデジタル信号に含まれている付加情報を抽出する。具体的には、デジタル信号に含まれているＰＩＤに基づいて、同じくデジタル信号に含まれているＳＩの中から、少なくともＥＩＴ、あるいはＳＤＴおよびＴＯＴを抽出する。
【００９３】
続くＳ２３０では、Ｓ２２０でＴＯＴを抽出できたか否かを判断し、ここで肯定判断した場合にはＳ２４０に移行し、ＥＩＴを抽出したがＴＯＴを抽出しなかった場合には、Ｓ２５０に移行する。なお、ＴＯＴは、詳しくは放送局からＴＳパケットが送信されたときの日付および時刻を含む情報であるため、ＢＤレコーダ３による録画番組の再生箇所を特定するために用いることができる。
【００９４】
Ｓ２４０では、Ｓ２２０で抽出したＴＯＴを制御部４４のＲＡＭに記憶し、Ｓ２５０に移行する。なお、制御部４４のＲＡＭに既にＴＯＴが記憶されている場合には、ＲＡＭに記憶されているＴＯＴを、Ｓ２２０で抽出したＴＯＴに更新してもよい。
【００９５】
Ｓ２５０では、Ｓ２１０で第１のＨＤＭＩ接続部４５ａを介して入力したデジタル信号から、ＢＤレコーダ３によって録画番組内に記録されたＥＰＧ情報が含まれているか否かを判断し、このＥＰＧ情報を抽出できた場合にはＳ２６０に移行し、ＥＰＧ情報を抽出できなかった場合にはＳ２７０に移行する。
【００９６】
Ｓ２６０では、Ｓ２５０で抽出できたＥＰＧ情報を含む番組再生ログデータを生成して、制御部４４のＲＡＭに記憶し、Ｓ２８０に移行する。一方、Ｓ２７０では、Ｓ２２０で抽出した付加情報を含む番組再生ログデータを生成して、制御部４４のＲＡＭに記憶し、Ｓ２８０に移行する。
【００９７】
なお、番組再生ログデータは、ＥＰＧ情報および付加情報のいずれか一方を示す情報を録画番組情報９５とし、録画番組情報９５の抽出時に内部時計４１から読み出した日時を送信日時９４として、これら録画番組情報９５と送信日時９４とによって構成される。また、付加情報は、ＥＩＴによって構成されるか、もしくはＳＤＴおよびＴＯＴによって構成される。ちなみに、ＥＩＴには、ＢＤレコーダ３が再生中の録画番組に関する情報が必ず含まれており、他のＴＶ番組と識別可能に録画番組に関する情報が配置されているものとする。また、ＳＤＴには、録画番組の放送チャンネルの名称に関する情報が含まれ、ＴＯＴは、前述のように、録画番組の基となる放送信号が送信されたときの日付および時刻に関する情報が含まれているため、両者の情報によって録画番組を特定することができる。
【００９８】
Ｓ２８０では、制御部４４のＲＡＭに記憶されている最新のＴＯＴを含む指令操作ログデータを生成して、制御部４４のＲＡＭに記憶する。なお、指令操作ログデータは、赤外線コード入力部４３または無線通信部４２を介して入力した録画再生操作の内容を示す情報を操作内容情報９６とし、この録画再生操作の入力時に内部時計４１から読み出した日時を送信日時９４として、これら操作内容情報９６と送信日時９４と、操作開始タイミング情報９７の基となるＴＯＴとによって構成される。
【００９９】
続くＳ２９０では、予め設定された送信タイミングであるか否かを判断し、送信タイミングでない場合にはＳ２９５に移行し、送信タイミングである場合にはＳ３００に移行する。
【０１００】
Ｓ２９５では、赤外線コード入力部４３または無線通信部４２を介してユーザによる他の録画再生操作を入力したか否かを判断し、ここで肯定判断した場合にはＳ２８０に移行し、否定判断した場合にはＳ２１０に戻る。なお、ここでの他の録画再生操作は、録画番組をはじめに再生する操作（再生操作）以外の操作であり、録画番組の早送りや巻き戻し、スキップ、Ｎ（Ｎ＞１）倍速再生、一時停止、停止などの他の各種操作であるものとする。
【０１０１】
Ｓ３００では、Ｓ２６０またはＳ２７０で記憶した番組再生ログデータ、およびＳ２８０で記憶した指令操作ログデータのうち未送信のものを、ＳＴＢ４の個体毎に予め決められた識別情報とともに、無線通信部４２を介してインターネット網１０に接続された管理サーバ９に送信し、Ｓ２１０に戻る。
【０１０２】
なお、本処理（録画ログ制御処理）は、Ｓ１６０の録画再生操作によってＢＤレコーダ３が再生した録画番組が停止された場合（他の操作によって強制終了した場合も含む）に、Ｓ２８０で指令操作ログデータを生成してＲＡＭに記憶した後、終了する。そして、再度、Ｓ１６０の録画再生操作によってＢＤレコーダ３が録画番組を再生すると、作動することになる。
【０１０３】
＜効果＞
以上説明したように、本実施形態の視聴率調査システム１では、ＳＴＢ４が、ＢＤレコーダ３から出力されたデジタル信号に含まれている付加情報を抽出し、その付加情報に基づいて、ＢＤレコーダ３によって再生された録画番組を特定するための番組再生ログデータを生成して、インターネット網１０に接続された管理サーバ９に送信する。
【０１０４】
このため、管理サーバ９のデータベース９２には、放送局毎に各時刻の音声データを予め用意して記憶させておく必要がなくなり、各家庭に設置されたＳＴＢ４から送信されてくる「録画番組と一対一に対応可能なデータ」（番組再生ログデータ）が蓄積されることになる。これにより、管理サーバ９がデータベース９２に蓄積された番組再生ログデータを基に、各家庭でＢＤレコーダ３によって再生された録画番組をより確実に特定することができる。
【０１０５】
また、視聴率調査システム１では、ＳＴＢ４が、デジタル信号に含まれているＰＩＤに基づいて、ＳＩの中から、録画番組に関連する情報を含むＥＩＴや、録画番組の基となる放送信号が放送局から送信されたときの日付および時刻を含むタイムオフセットテーブル（以下「ＴＯＴ」という）と、その放送局の放送チャンネルの名称を含むＳＤＴとを抽出する。
【０１０６】
よって、管理サーバ９がデータベース９２に蓄積された番組再生ログデータを基に、各家庭でＢＤレコーダ３が再生した録画番組を直接的に特定することが可能となるため、音声マッチングやコードマッチングのような複雑な処理を行う必要がなくなり、ひいてはサーバ負荷を抑制でき、且つ、録画番組の視聴率調査に供する信頼性の高いデータを生成することができる。
【０１０７】
また、視聴率調査システム１では、ＳＴＢ４が、赤外線コード入力部４３または無線通信部４２を介してユーザによる番組視聴操作を示す指令コード（赤外線コードまたは無線コード）を受信した場合、その指令コードに基づいてＢＤレコーダ３の操作内容を含む指令操作ログデータを生成して、インターネット網１０に接続された管理サーバ９に送信する。
【０１０８】
このため、管理サーバ９がデータベース９２に蓄積された指令操作ログデータを基に、各家庭でＢＤレコーダ３による録画番組の再生中に、視聴者によってどのような番組視聴操作がなされたかを管理することが可能となるため、各録画番組における視聴行動を調査することができる。
【０１０９】
また、視聴率調査システム１では、ＳＴＢ４が、赤外線コード入力部４３または無線通信部４２により指令コードを受信した前後いずれかに、デジタル信号から抽出されたＴＯＴを含む指令操作ログデータを生成する。
【０１１０】
したがって、管理サーバ９が、録画番組におけるどの部分で番組視聴操作がなされたかを管理することが可能となるため、例えば録画番組のうち視聴された部分とそうでない部分とを調査できる等、各録画番組におけるより詳細な視聴行動を調査することができる。
【０１１１】
また、視聴率調査システム１では、ＳＴＢ４が、ＢＤレコーダ３から出力されたデジタル信号に含まれているＥＰＧ情報を抽出できた場合、そのＥＰＧ情報に基づいて番組再生データを生成して、インターネット網１０に接続された管理サーバ９に送信する。このため、管理サーバ９は、データベース９２に蓄積された番組再生ログデータを基に、各家庭でＢＤレコーダ３が再生した録画番組をより直接的に特定することが可能となる。
【０１１２】
＜発明との対応＞
なお、本実施形態において、無線通信部４２が通信手段、第１のＨＤＭＩ接続部４５ａが信号入力手段、無線通信部４２および赤外線コード入力部４３が指令コード受信手段、Ｓ２１０〜Ｓ２２０の処理を行う制御部４４が情報抽出手段、Ｓ２３０〜Ｓ２９５の処理を行う制御部４４がログデータ生成手段、Ｓ３００の処理を行う制御部４４がログデータ送信手段の各一例にそれぞれ相当する。
【０１１３】
＜他の実施形態＞
以上、本発明の実施形態について説明したが、本発明は上記実施形態に限定されるものではなく、本発明の要旨を逸脱しない範囲において、様々な態様にて実施することが可能である。
【０１１４】
例えば、上記実施形態の視聴率調査システム１では、ＳＴＢ４の制御部４４（ＣＰＵ）が、操作ログ制御処理において、ＥＰＧ情報を抽出できた場合に、付加情報を含む番組再生ログデータを生成しないようになっているが、これに限定されるものではなく、ＥＰＧ情報を抽出できた場合であっても、付加情報を含む番組再生ログデータを生成してＲＡＭに記憶するようにしてもよい。
【０１１５】
また、上記実施形態の視聴率調査システム１では、ＳＴＢ４の制御部４４が、番組再生ログデータや指令操作ログデータ（および視聴操作ログデータ）を管理サーバ９に送信し、管理サーバ９が録画番組（およびＴＶ番組）の視聴率を算出しているが、これに限定されるものではない。
【０１１６】
具体的には、例えば、ＳＴＢ４の制御部４４が、ＷＥＢ制御によってＴＶ２に出力させたＷＥＢコンテンツを特定するためのアドレス情報を管理サーバ９に送信し、管理サーバ９が録画番組（およびＴＶ番組）だけでなく、ＷＥＢコンテンツに対するアクセスビューを算出してもよい。また、ＳＴＢ４の制御部４４が、ユーザによって音量の上げ下げや番組ガイドや字幕データ表示など各種の視聴操作がなされたときに、その視聴操作の情報を含む指令操作ログデータ（または視聴操作ログデータ）を管理サーバ９に送信し、管理サーバ９がこれらの指令操作ログデータ（または視聴操作ログデータ）をデータベース９２に記憶させて管理してもよい。
【０１１７】
また、上記実施形態の視聴率調査システム１では、ＳＴＢ４の制御部４４が、送信日時９４を含む各種ログデータを管理サーバ９に送信しているが、これに代えて、管理サーバ９がデータベース９２内で各種ログデータの受信日時を示す情報を管理してもよい。
【０１１８】
また、上記実施形態の視聴率調査システム１では、管理サーバ９が、各家庭における世帯視聴率を算出しているが、各家庭における個人視聴率を算出してもよい。具体的には、例えばリモコン５，６に赤・青・緑・黄などのカラーボタンを家族内の各個人に予め割り当てておき、リモコン５，６を操作する人が自身に割り当てられたカラーボタンを押して自己申告してもよい。この場合、ＳＴＢ４は、各カラーボタンの信号コードをリモコン５，６から受信すると、その信号コードを記録し、適宜、家族内の個人を特定するための情報を含む各種ログデータを管理サーバ９に送信すればよい。
【０１１９】
また、例えばＳＴＢ４のＵＳＢ端子４７にＷＥＢカメラ等の撮像装置を接続して、制御部４４が周知の顔認識処理を行うことにより、視聴している家族内の個人を特定することもできる。なお、家族に性別が同じ双子が含まれる場合、顔認識処理では双子の顔の区別を行うことは難しいかもしれないが、このような場合に顔認識処理で双子を同一人物であると特定しても、少なくとも性別および年齢に対する視聴率の傾向を調査することができる。
【０１２０】
また、上記実施形態のＳＴＢ４は、ＢＤレコーダ３とＴＶ２とに接続され、ＢＤレコーダ３から出力される映像信号や音声信号等のデジタル信号をＴＶ２に中継しているが、このような構成に限定されるものではなく、例えばＢＤレコーダ３が備える２つのＨＤＭＩ出力端子３５のうち、一方のＨＤＭＩ出力端子３５がＳＴＢ４に接続され、他方のＨＤＭＩ出力端子３５がＴＶ２に接続されることで、デジタル信号の中継をしない構成でもよい。
【０１２１】
また、上記実施形態の視聴率調査システム１では、ＳＴＢ４が付加情報として、ＥＩＴやＳＤＴおよびＴＯＴといったＳＩを抽出して、番組再生ログデータを生成し、管理サーバ９に送信しているが、これに限定されるものではない。例えば、ＢＤレコーダ３がＴＳパケットに含まれるワーク鍵で復号しない非圧縮状態のままで、ＴＶ番組を録画する構成のもと、ＳＴＢ４が付加情報として、ワーク鍵（暗号コード）を抽出して、番組再生ログデータを生成し、管理サーバ９に送信してもよい。この場合、例えば、放送局毎の全放送をカバーしたワーク鍵（暗号コード）をデータベース９２に予め蓄積しておき、管理サーバ９が、ＳＴＢ４にて抽出されたワーク鍵（暗号コード）を、データベース９２内のワーク鍵（暗号コード）と照合することにより、視聴された録画番組を特定することができる。
【０１２２】
あるいは、ＢＤレコーダ３が周知の音声透かし情報が埋め込まれたＴＶ番組を録画する構成のもと、ＳＴＢ４が付加情報として、放送されたチャンネルのコードや日付や時刻の情報を表す音声透かし情報を抽出して、番組再生ログデータを生成し、管理サーバ９に送信してもよい。この場合、例えば、管理サーバ９が、ＳＴＢ４にて抽出された音声透かし情報に基づいて、視聴された録画番組を特定することができる。なお、ＳＴＢ４によって、ＢＤレコーダ３のＨＤＭＩ出力端子３５からデジタル出力される音声透かし情報が抽出されるため、アナログ信号に比べてノイズのない正確な情報を抽出することができる。
【０１２３】
また、上記実施形態の視聴率調査システム１では、ＳＴＢ４が、給電部４８を備え、ＵＳＢ端子３７を介してＢＤレコーダ３から電源の供給を受けるように構成されているが、これに限定されるものではなく、ＴＶ２にＵＳＢ接続されて電源の供給を受ける構成でもよいし、家庭内のコンセントに接続されて電源の供給を受ける構成でもよい。
【符号の説明】
【０１２４】
１…視聴率調査システム、２…ＴＶ、３…ＢＤレコーダ、４…ＳＴＢ、５…赤外線リモコン、６…無線リモコン、７…無線ルータ、９…管理サーバ、１０…インターネット網、３１…ＴＶチューナ、３２…ＨＤＤ、３３…ＢＤＤ、３４…制御部、３５…ＨＤＭＩ出力端子、４２…無線通信部、４３…赤外線コード入力部、４４…制御部、４５…ＨＤＭＩ接続部、４６…赤外線コード受信部、９１…ネットワークＩＦ、９２…データベース、９３…制御部。
【図２】
2014192596.tif 000003
【図３】
2014192596.tif 000004
【図４】
2014192596.tif 000005
【図５】
2014192596.tif 000006
【図１】
2014192596.tif 000007